(57)【要約】【課題】  複数の入賞口が遊技盤面上で移動するように構成する場合に、入賞球を効率よく遊技盤裏面側へと誘導できるとともに、入賞口となる開口部にピアノ線や樹脂プレート等を挿入する不正行為を防止でき、さらに遊技の興趣を高めることができる遊技機を提供する。【解決手段】  取付ベース部材３１に対して、第１スライド部材８１及び第２スライド部材１０１の長手方向に沿った水平方向作動を可能とし、取付ベース部材３１に並設した複数の貫通口６１〜６５は、第２入賞口８２及び第３入賞口１０２が常態の場合に、第２入賞口８２または第３入賞口１０２と連通する位置に配置するとともに、第１スライド部材８１及び第２スライド部材１０２を作動させて第１入賞口７１に第２入賞口８２及び第３入賞口１０２が近接した状態となった場合に、第２入賞口８２または第３入賞口１０２と連通する位置に配置する。【選択図】図２
2005270516.tif 000002
【特許請求の範囲】
【請求項１】
遊技領域内を移動する入賞口を有する入賞装置を備えた遊技機において、
前記入賞装置は、
左右方向の中央部分に第１入賞口を配設するとともに、該第１入賞口を区画する両側壁にスリットを開設し、且つ左右方向に沿って複数の貫通口を並設した取付ベース部材と、
左右方向に沿って第２入賞口と複数の球導入部とを並設した第１スライド部材と、
左右方向に沿って第３入賞口と複数の球導入部とを並設した第２スライド部材と、
を備えており、
前記取付ベース部材は、前記第１スライド部材および第２スライド部材を左右方向に案内するガイド部を有し、
前記第１スライド部材および第２スライド部材は、前記ガイド部に係合した状態で駆動機構により左右方向に移動可能とし、
前記第１入賞口の両側壁のスリットは、前記第１スライド部材と第２スライド部材が前後方向に重合した肉厚分の奥行きを有するとともに、該スリット内に前記第１スライド部材および第２スライド部材を遊嵌した状態とし、
前記取付ベース部材に並設した複数の貫通口は、
前記第２入賞口および第３入賞口が第１入賞口から離隔した常態の場合に、前記第２入賞口または第３入賞口と連通する位置に配置するとともに、前記第１スライド部材および第２スライド部材を移動して前記第１入賞口に、前記第２入賞口および第３入賞口が近接した状態となった場合に、前記第２入賞口または第３入賞口と連通する位置に配置したことを特徴とする遊技機。
【請求項２】
前記取付ベース部材に開設した複数の貫通口のうち、前記第２入賞口または第３入賞口と連通しない貫通口は、前記第１スライド部材または第２スライド部材によって閉塞されることを特徴とする請求項１に記載の遊技機。
【請求項３】
前記第１スライド部材および第２スライド部材に設けた複数の球導入部は、前記取付ベース部材に開設した複数の貫通口と連通しない状態においては、他方のスライド部材および前記取付ベース部材のいずれか一方もしくは双方によって閉塞されることを特徴とする請求項１または請求項２に記載の遊技機。
【請求項４】
遊技領域に、前記第１スライド部材または第２スライド部材の作動条件を成立させるための球通過検出手段を各スライド部材に対応させて設け、該球通過検出手段により遊技球の通過が検出されることを条件に、その検出手段に対応するスライド部材が作動するようにしたことを特徴とする請求項１から請求項３のいずれかに記載の遊技機。
【請求項５】
複数の識別情報をそれぞれ複数の変動表示領域で変動表示する変動表示ゲームを実行可能な変動表示装置を備え、
前記変動表示ゲームの停止識別情報の組合せ態様が予め定めた特別表示態様となった場合に、所定の利益を付与可能な特別遊技状態が発生可能であって、
前記入賞装置の第１入賞口、第２入賞口および第３入賞口は、これらを区画する側壁が近接した状態に変換して、前記特別遊技状態において所定の利益を付与するための大入賞口として機能することを特徴とする請求項１から請求項４のいずれかに記載の遊技機。
【請求項６】
複数の識別情報をそれぞれ複数の変動表示領域で変動表示する変動表示ゲームを実行可能な変動表示装置を備え、
前記変動表示ゲームの停止識別情報の組合せ態様が予め定めた特別表示態様となった場合に、所定の利益を付与可能な特別遊技状態が発生可能であって、
前記入賞装置の第１入賞口、第２入賞口および第３入賞口は、前記変動表示ゲームを開始するための始動条件を成立させる始動入賞口として機能することを特徴とする請求項１から請求項４のいずれかに記載の遊技機。
【発明の詳細な説明】
【技術分野】
【０００１】
本発明は、遊技領域内に、移動する入賞口を有する入賞装置を備えたパチンコ機などの遊技機に関する。
【背景技術】
【０００２】
従来の遊技機、例えば、パチンコ機においては、遊技領域内に複数の釘や風車等を配設し、発射装置から遊技領域に発射された遊技球の流下方向にランダムな変化を与えて、遊技球の動きを楽しむように構成されている。
また、遊技領域には、複数の入賞口が配設されており、遊技領域を流下する遊技球がこれらの入賞口の何れかに入賞した場合には、所定数の賞球が遊技者に付与されるようになっている。
【０００３】
ところで、上記の複数の入賞口には、例えば、アタッカー式の大入賞口やチューリップ型の入賞口等があり、これらの入賞口は、所定条件の成立に基づいて遊技球を受け入れない状態（または遊技球を受け入れ難い状態）から遊技球を受け入れ易い状態へと変換されるものである。
これらの入賞口においては、各々が独立して構造を変化させて遊技球の受け入れ状態を変化させるものであって、複数の入賞口が関連して遊技球の受け入れ状態を変化させるものではなかった。
【０００４】
そこで、複数の入賞口が互いに遊技盤の上下方向に配置され、少なくとも上側又は下側の入賞口を遊技盤面に対して移動可能とし、この移動により上側の入賞口が下側の入賞口の開閉蓋としての機能を有し、複数の入賞口が関連して遊技球の受け入れ状態を変化させるように構成したパチンコ機が、例えば、特開２００２−１１９６６１号公報（特許文献１）に開示されている。
この遊技機は、上段の移動可能な二つの入賞口が接近することで下段の入賞口への入賞を阻止し、上段の二つの入賞口が離反することで下段の入賞口に遊技球が入賞可能となる構成である。
【特許文献１】特開２００２−１１９６６１号公報
【発明の開示】
【発明が解決しようとする課題】
【０００５】
しかしながら、上記のように構成したパチンコ機では、入賞口が遊技盤面上を移動するため、入賞口が移動する先々にそれぞれ遊技球を遊技盤裏面側へと導く開口部を設ける必要がある。遊技盤裏面側に効率よく遊技球を導くためには、上記の開口部を遊技盤面上に露出させた状態にしておけば良いのであるが、ピアノ線や樹脂プレート等を開口部内に挿入して不正に賞球を排出させるという不正行為が発生する虞があるため、開口部が露出した状態のままでは、このような不正行為を誘発し兼ねないという重大な問題があった。
【０００６】
また、特許文献１では、同一の入賞口に入賞の難易度を持たせることを主眼としており、複数の入賞口を関連させて大入賞口とするような遊技者の興趣を高める工夫はなされていなかった。
【０００７】
本発明は、このような事情に鑑みて創案されたものであり、複数の入賞口が遊技盤面上で移動でき、入賞球を効率よく遊技盤裏面側へと誘導することができるとともに、入賞口となる開口部にピアノ線や樹脂プレート等を挿入する不正行為を防止することができ、さらに遊技者の興趣を高めることができる遊技機を提供することを目的とする。
【課題を解決するための手段】
【０００８】
本発明は、上記に鑑み提案されたものであり、請求項１に記載のものは、遊技領域内を移動する入賞口を有する入賞装置を備えた遊技機において、
前記入賞装置は、
左右方向の中央部分に第１入賞口を配設するとともに、該第１入賞口を区画する両側壁にスリットを開設し、且つ左右方向に沿って複数の貫通口を並設した取付ベース部材と、
左右方向に沿って第２入賞口と複数の球導入部とを並設した第１スライド部材と、
左右方向に沿って第３入賞口と複数の球導入部とを並設した第２スライド部材と、
を備えており、
前記取付ベース部材は、前記第１スライド部材および第２スライド部材を左右方向に案内するガイド部を有し、
前記第１スライド部材および第２スライド部材は、前記ガイド部に係合した状態で駆動機構により左右方向に移動可能とし、
前記第１入賞口の両側壁のスリットは、前記第１スライド部材と第２スライド部材が前後方向に重合した肉厚分の奥行きを有するとともに、該スリット内に前記第１スライド部材および第２スライド部材を遊嵌した状態とし、
前記取付ベース部材に並設した複数の貫通口は、
前記第２入賞口および第３入賞口が第１入賞口から離隔した常態の場合に、前記第２入賞口または第３入賞口と連通する位置に配置するとともに、前記第１スライド部材および第２スライド部材を移動して前記第１入賞口に、前記第２入賞口および第３入賞口が近接した状態となった場合に、前記第２入賞口または第３入賞口と連通する位置に配置したことを特徴とする遊技機である。
【０００９】
請求項２に記載のものは、前記取付ベース部材に開設した複数の貫通口のうち、前記第２入賞口または第３入賞口と連通しない貫通口は、前記第１スライド部材または第２スライド部材によって閉塞されることを特徴とする請求項１に記載の遊技機である。
【００１０】
請求項３に記載のものは、前記第１スライド部材および第２スライド部材に設けた複数の球導入部は、前記取付ベース部材に開設した複数の貫通口と連通しない状態においては、他方のスライド部材および前記取付ベース部材のいずれか一方もしくは双方によって閉塞されることを特徴とする請求項１または請求項２に記載の遊技機である。
【００１１】
請求項４に記載のものは、遊技領域に、前記第１スライド部材または第２スライド部材の作動条件を成立させるための球通過検出手段を各スライド部材に対応させて設け、該球通過検出手段により遊技球の通過が検出されることを条件に、その検出手段に対応するスライド部材が作動するようにしたことを特徴とする請求項１から請求項３のいずれかに記載の遊技機である。
【００１２】
請求項５に記載のものは、複数の識別情報をそれぞれ複数の変動表示領域で変動表示する変動表示ゲームを実行可能な変動表示装置を備え、
前記変動表示ゲームの停止識別情報の組合せ態様が予め定めた特別表示態様となった場合に、所定の利益を付与可能な特別遊技状態が発生可能であって、
前記入賞装置の第１入賞口、第２入賞口および第３入賞口は、これらを区画する側壁が近接した状態に変換して、前記特別遊技状態において所定の利益を付与するための大入賞口として機能することを特徴とする請求項１から請求項４のいずれかに記載の遊技機である。
【００１３】
請求項６に記載のものは、複数の識別情報をそれぞれ複数の変動表示領域で変動表示する変動表示ゲームを実行可能な変動表示装置を備え、
前記変動表示ゲームの停止識別情報の組合せ態様が予め定めた特別表示態様となった場合に、所定の利益を付与可能な特別遊技状態が発生可能であって、
前記入賞装置の第１入賞口、第２入賞口および第３入賞口は、前記変動表示ゲームを開始するための始動条件を成立させる始動入賞口として機能することを特徴とする請求項１から請求項４のいずれかに記載の遊技機である。
【発明の効果】
【００１４】
本発明の遊技機によれば、次のような優れた効果を奏する。
即ち、請求項１に記載の発明によれば、遊技領域内を複数の入賞口が移動することができるとともに、入賞口に入賞した入賞球を効率よく遊技領域外部へと誘導することができる。
【００１５】
請求項２に記載の発明によれば、入賞口が移動した場合であっても、第２入賞口または第３入賞口と連通しない貫通口を確実に閉塞することができる。したがって、入賞口が移動しても貫通口が遊技者から見えてしまい体裁を損ねるような不都合がなくなる。また、貫通口を確実に閉塞できるので、入賞口となる貫通口内にピアノ線や樹脂プレート等を挿入して不正に賞球を排出させるという不正行為を防止することができる。
【００１６】
請求項３に記載の発明によれば、第１スライド部材および第２スライド部材に設けた複数の球導入部についても、取付ベース部材に開設した複数の貫通口と連通しない状態では閉塞されるので、遊技球が球導入部内で停留したり、不正行為を誘発したりするのを防止することができる。
【００１７】
請求項４に記載の発明によれば、遊技領域に設けた球通過検出手段により遊技球の通過が検出されることを条件に、その検出手段に対応するスライド部材が作動するようにしたので、第１スライド部材と第２スライド部材とが異なる作動をする場合があり、遊技状態に変化を持たせて、遊技者の興趣を高めることができる。
【００１８】
請求項５に記載の発明によれば、第１入賞口、第２入賞口および第３入賞口は、これらを区画する側壁が近接した状態となった場合に、特別遊技状態において所定の利益を付与するための大入賞口として機能するので、複数の入賞口を関連させて大入賞口とすることができ、これまでにない外観態様で遊技者の興趣を高めることができる。
【００１９】
請求項６に記載の発明によれば、第１入賞口、第２入賞口および第３入賞口は、変動表示ゲームを開始するための始動条件となる始動入賞口としても機能するので、遊技状態が変化に富み、遊技者の興趣を高めることができる。
【発明を実施するための最良の形態】
【００２０】
以下、本発明の最良の実施形態を図面に基づいて説明する。
図１は代表的な遊技機であるパチンコ機の遊技盤の正面図である。
この第１の実施形態のパチンコ機１の遊技盤２は、表面にガイドレール等の区画部材３により区画された遊技領域４を形成し、該遊技領域４内において、ほぼ中央には周囲がセンターケース５によって覆われた変動表示装置６を配設して、該変動表示装置６の下方には特別図柄始動口８を、さらにその下方には複数の入賞口を移動可能に設けた入賞装置１０を、前記変動表示装置６の左右には球通過検出手段としての第１通過球検出ゲート１１および第２通過球検出ゲート１２を、前記特別図柄始動口８の左右には球通過検出手段としての第１普通図柄始動ゲート１３および第２普通図柄始動ゲート１４等を配設している。また、この遊技領域４内には、この他に、図示しない遊技球の流下方向を変える風車や障害釘、発光により各種の装飾表示を行うランプ・ＬＥＤ、及び入賞せずに流下した遊技球を回収するアウト口１８などが設けられている。
【００２１】
変動表示装置６は、例えば、複数の変動表示領域（左側、中央、右側の３つの変動表示領域等）を設定して各表示領域の各々で独立して画像表示がなされる表示装置であって、例えば、任意の画像を表示可能なＬＣＤ（液晶表示器）、ＣＲＴ（ブラウン管）等で表示画面部分が構成される。そして、この表示画面上の複数の変動表示領域には複数の識別情報（図柄）をそれぞれ変動表示する変動表示ゲーム等が表示される。
【００２２】
この変動表示装置６を囲むようにして設けられるセンターケース５は、遊技盤２前面に形成された遊技領域４のほぼ中央で、且つ特別図柄始動口８の直ぐ上方に配置されており、凹室２０を備え、この凹室２０の底面、すなわち奥の面に凹室開口部２１を開設し、該凹室開口部２１に臨んだ状態で変動表示装置６を配設しており、前記凹室２０の下部上面において遊技球が転動することにより、直下の特別図柄始動口８に入賞し易いように成っている。
【００２３】
特別図柄始動口８は、前記変動表示装置６において変動表示ゲームを開始するための始動口であり、この始動口８への入賞は特別図柄始動センサ（図１１参照）により検出される。後述するように、変動表示ゲームが開始されて停止識別情報の組合せ態様が予め定めた特別表示態様となった場合には、所定の利益を付与可能な特別遊技状態が発生可能である。
なお、特別図柄始動口８への遊技球の入賞については、特別図柄始動記憶として、例えば最大４回分を限度として記憶され、その始動記憶の状況が表示器やＬＥＤ等で構成された始動記憶表示器２２によって表示されるように成っている。
【００２４】
第１通過球検出ゲート１１および第２通過球検出ゲート１２にはそれぞれ第１通過球検出センサ１６１および第２通過球検出センサ１６２が、第１普通図柄始動ゲート１３および第２普通図柄始動ゲート１４にはそれぞれ第１普通図柄始動センサ１５２および第２普通図柄始動センサ１５３が備えられており、それぞれ遊技球の通過を検出するように成っている（図１１参照）。
【００２５】
次に、複数の入賞口を移動可能に設けた前記入賞装置１０について説明する。
図２は入賞装置の斜視図、図３は取付ベース部材の斜視図、図４は取付ベース部材の裏面側から見た斜視図である。図５において、（ａ）は第１スライド部材の斜視図、（ｂ）は第２スライド部材の斜視図である。また、図６において、（ａ）は第１スライド部材の裏面図、（ｂ）は第２スライド部材の裏面図である。さらに、図７において、（ａ）は第１入賞口の斜め裏側から見た斜視図、（ｂ）は第１入賞口、第１，第２スライド部材、取付ベース部材が組み付けられた状態の断面図である。
【００２６】
図２に示すように、入賞装置１０は、左右方向に長尺（横長）な平板状の取付ベース部材３１と、初期状態において、この取付ベース部材３１の前面左側に位置し、該取付ベース３１の長さの半分を若干超える程度の長さを有する横長平板状の第１スライド部材８１と、前記取付ベース３１の前面右側に配設され、該取付ベース３１の長さの半分を若干超える程度の長さを有する横長平板状の第２スライド部材１０１と、を備えており、取付ベース部材３１の左右方向の中間部（ほぼ中央部）には第１入賞口７１が配設され、この第１入賞口７１を区画する両側壁にはスリット７９が開設され、このスリット７９内に第１スライド部材８１の右側端部および第２スライド部材１０１の左側端部を遊嵌することにより、第１入賞口７１内において第１スライド部材８１と第２スライド部材１０１とが前後に重合した状態で移動可能とされ、取付ベース３１の前面において、第２スライド部材１０１が第１スライド部材８１よりも前方に配置されている。
【００２７】
図３及び図４に示すように、取付ベース部材３１には、長手方向に沿って複数の貫通口６１〜６５が並設されており、長手方向のほぼ中央に位置する三連の貫通口６１，６２，６３と、これらから左右に離隔した貫通口６４，６５との５つの貫通口から構成され、各貫通口６１〜６５はほぼ正方形を呈しており、遊技球が楽に通過し得る大きさに開設されている。三連の貫通口６１，６２，６３の真中に位置する貫通口６２の前方には前記第１入賞口７１が取り付けられるので、その上下には第１入賞口７１をネジ等の止着部材により固定するための止着孔３２が開口されている。そして、取付ベース部材３１の四隅には、該取付ベース部材３１をネジ等の止着部材により遊技盤２に取り付けるための取付孔３３が開設されており、その長手方向がほぼ水平方向と成るように取り付けられる。なお、後述する図８及び図９の説明の便宜上、左側に離隔した貫通口６４を隔てる取付ベース部分を左側の離隔壁部分６８と、右側に離隔した貫通口６５を隔てる取付ベース部分を右側の離隔壁部分６９という。
【００２８】
また、取付ベース部材３１の表面の貫通口６１〜６５よりも上部には、前記第１スライド部材８１の長手方向に沿った水平方向の作動（移動）を案内する第１上側ガイド部３５と、前記第２スライド部材１０１の長手方向に沿った水平方向の作動（移動）を案内する第２上側ガイド部３６とが、前方に突出するように設けられており、これらガイド部３５，３６の下面基部には、後述する第１スライド部材８１及び第２スライド部材１０１の係合部９０，１１０が係合する溝部３８，３９がそれぞれ形成され、いわゆるレール部材を構成している。そして、第１上側ガイド部３５は、取付ベース部材３１の左端から右側に離隔した貫通口６５の上部まで配設され、又、第２上側ガイド部３６は、取付ベース部材３１の右端から貫通口６５の上部まで配設されており、該第２上側ガイド部３６は、前記第１上側ガイド部３５よりも少し下方に位置するとともに、第１上側ガイド部３５よりも前方に突出している。
【００２９】
さらに、取付ベース部材３１の表面の貫通口６１〜６５よりも下部には、取付ベース部材３１の下縁部近傍を前方に隆起させるように第１下側ガイド部４１と第２下側ガイド部４２とが設けられており、第１下側ガイド部４１は、取付ベース部材３１の左端から貫通口６５の左手前まで配設され、又、第２下側ガイド部４２は、取付ベース部材３１の右端から貫通口６５の下部まで配設されている。第２下側ガイド部４２は、前記第１下側ガイド部４１よりも少し上方に位置するとともに、第１下側ガイド部４１よりも前方に突出しており、取付ベース部材３１の裏面側には、第１下側ガイド部４１及び第２下側ガイド部４２に相当する部位にそれぞれ横長の凹室４３，４４が形成され、第２下側ガイド部４２に相当する凹室４４は第１下側ガイド部４１に相当する凹室４３よりも深く窪んでいる。
【００３０】
したがって、第１スライド部材８１の水平方向移動を案内する第１上側ガイド部３５と第１下側ガイド部４１との間隔は、第２スライド部材１０１の水平方向移動を案内する第２上側ガイド部３６と第２下側ガイド部４２との間隔よりも大きく設定されている。これは、第１スライド部材８１の上下幅が第２スライド部材１０１の上下幅よりも大きく形成されていることに対応させたものである。
【００３１】
この様に、取付ベース３１の上部には、長手方向に沿って第１上側ガイド部３５及び第２上側ガイド部３６が前方に突出するように設けられ、一方、取付ベース３１の下部には、長手方向に沿って第１下側ガイド部４１及び第２下側ガイド部４２が前方に隆起するように設けられているので、これらのガイド部は取付ベース３１自体を補強する機能をも果たすことになる。
【００３２】
前記第１下側ガイド部４１に相当する凹室４３内には、表面から見て左側に離隔した貫通口６４の下部に位置するように第１ピニオンギヤ４５が収納され、前記貫通口６４の下部には第１ピニオンギヤ４５を軸支する軸受孔４６と、第１ピニオンギヤ４５の一部を第１下側ガイド部４１の上面から露出させるギヤ露出口４７とが開設されている。また、前記第２下側ガイド部４２に相当する凹室４４内には、表面から見て右側に離隔した貫通口６５の前方から見て右下部に位置するように第２ピニオンギヤ５０が収納され、前記貫通口６５の右下部には第２ピニオンギヤ５０を軸支する軸受孔５１と、第２ピニオンギヤ５０の一部を第２下側ガイド部４２の上面から露出させるギヤ露出口５２とが開設されている。即ち、取付ベース部材３１の裏面において、第１ピニオンギヤ４５は、前記第１下側ガイド部４１に相当する凹室４３内に、裏面右側に離隔した貫通口６４の下部に位置するように収納され、第２ピニオンギヤ５０は、前記第２下側ガイド部４２に相当する凹室４４内に、裏面左側に離隔した貫通口６５の左下部に位置するようにそれぞれ収納されており、第２ピニオンギヤ５０は第１ピニオンギヤ４５よりも前方（裏面において奥側）に配置されている。なお、第１ピニオンギヤ４５及び第２ピニオンギヤ５０は、それぞれパルスモータ（図示せず）により回転駆動される。したがって、本実施形態においては、モータ、ピニオンギア４５，５０、噛合部９１，１１１などが本発明の駆動機構に相当する。
【００３３】
そして、取付ベース部材３１の表面において、左側に離隔した貫通口６４の左側には第１スライド部材８１の初期位置を検出するコ字状の第１初期位置検出センサ５５が設けられ、右側に離隔した貫通口６５の右側には第２スライド部材１０１の初期位置を検出するコ字状の第２初期位置検出センサ５６が設けられている。
【００３４】
第１スライド部材８１は、前述したように、前記取付ベース３１の長さの半分を若干超える程度の長さを有する横長な平板状の部材であり、図５（ａ）及び図６（ａ）に示すように、長手方向に沿って第２入賞口８２と複数の球導入部８５，８６，８７とが並設されており、第２入賞口８２と左二連の球導入部８５，８６とは隣接し、球導入部８７は右側に離隔して開設されている。第２入賞口８２は上部及び後部が開口した中空直方体状（ポケット状）の入賞口として形成されており、各球導入部８５，８６，８７はそれぞれ上端部まで開口を連通した長方形状の切欠部として開設されているが、上端部まで連通させないで長方形状の開口部として開設してもよい。なお、後述する図８及び図９の説明の便宜上、右側に離隔した球導入部８７までの幅広な途中部分を右側の離隔壁部分８９という。
【００３５】
第１スライド部材８１の上端部には、長手方向に沿って前記第１上側ガイド部３５の溝部３８内に係合する係合部９０が形成されており、この上端部には第２入賞口８２の後部及び各球導入部８５，８６，８７の開口が連通しているため、係合部９０は断続的に形成されている。この係合部９０は、前記第１上側ガイド部３５の溝部３８内に係合し得るように、カギ状（Ｌ字状）に屈曲している。また、第１スライド部材８１の下端部には、長手方向に沿って噛合部９１が設けられ、この噛合部９１は、例えば、下方へ噛合歯を向けたラックギア状に形成され、前記取付ベース３１の凹室４３内に収納されて前記ギヤ露出口４７から一部が露出される第１ピニオンギヤ４５に噛み合うように成っている。なお、第１スライド部材８１の下端部は後方へと突設され、この部分の下面に噛合部９１が形成されている。この様に、第１スライド部材８１の上端部の係合部９０がカギ状に屈曲しており、下端部が後方へ突設されているので、これらにより第１スライド部材８１自体が補強されることになる。また、第１スライド部材８１の裏面において、第２入賞口８２の右側には、前記第１初期位置検出センサ５５によって検出される検出片９５が設けられている。
【００３６】
そして、前記第２入賞口８２の両側壁の基部には、前記第２スライド部材１０１の左端部分を遊嵌するためのスリット９７が形成されている。これは、取付ベース３１に第１スライド部材８１及び第２スライド部材１０１を取り付けた場合に、第１スライド部材８１及び第２スライド部材１０１は左右方向にスライド可能に取り付けられるが、第１スライド部材８１の前方に第２スライド部材１０１が重なるように取り付けられるからである。なお、その取り付け状況については後で詳細に説明する。
【００３７】
第２スライド部材１０１は、前記第１スライド部材８１とほぼ左右対称となるような構造を有しており、前述したように、前記取付ベース３１の長さの半分を若干超える程度の長さを有する横長平板状部材であり、第１スライド部材８１よりも上下幅が小さく形成されている。図５（ｂ）及び図６（ｂ）に示すように、長手方向に沿って第３入賞口１０２と複数の球導入部１０５，１０６，１０７とが並設されており、第３入賞口１０２と右側二連の球導入部１０５，１０６とは隣接し、球導入部１０７は左側に離隔して開設されている。第３入賞口１０２は上部及び後部が開口した中空直方体状の入賞口として形成されており、各球導入部１０５，１０６，１０７はそれぞれ上端部まで連通した長方形状の切欠部として開設されているが、上端部まで連通させないで長方形状の開口部として開設してもよい。なお、後述する図８及び図９の説明の便宜上、球導入部１０６から左側に離隔した球導入部１０７との間の部分を左側の離隔壁部分１０８という。
【００３８】
第２スライド部材１０１の上端部には、長手方向に沿って前記第２上側ガイド部３６の下面基部に形成された溝部３９内に係合する係合部１１０が形成されており、この上端部には第３入賞口１０２の後部及び各球導入部１０５，１０６，１０７の開口が連通しているため、係合部１１０は断続的に形成されている。この係合部１１０は、前記第２上側ガイド部３６の下面基部の溝部３９内に係合し得るように、カギ状（Ｌ字状）に屈曲している。また、第２スライド部材１０１の下端部には、長手方向に沿って噛合部１１１が設けられ、この噛合部１１１は、例えば下方へ噛合歯を向けたラックギアによって形成され、前記取付ベース３１の凹室４４内に収納されて前記ギヤ露出口５２から一部が露出される第２ピニオンギヤ５０に噛み合うように成っている。第２スライド部材１０１の下端部は後方へと突設され、この突出部分の下面に噛合部１１１が形成されている。この様に、第２スライド部材１０１の上端部の係合部１１０がカギ状に屈曲しており、下端部が後方へ突設されているので、これらにより第２スライド部材１０１自体が補強されることになる。また、第２スライド部材１０１の裏面において、第３入賞口１０２の左側には、前記第２初期位置検出センサ５６によって検出される検出片１１５が設けられている。なお、この第２スライド部材１０１は、前記取付ベース３１の前面において、第１スライド部材８１よりも前方に取り付けられるため、第３入賞口１０２にはスリットは形成されていない。その取り付け状況については後で詳細に説明する。
【００３９】
前記第１スライド部材８１及び第２スライド部材１０１においては、それぞれ第２入賞口８２、第３入賞口１０２が一体成形されているが、前記第１入賞口７１は、前述したように、前記取付ベース３１とは別部材として構成され、取付ベース３１の長手方向のほぼ中央部に開設された貫通口６２を覆うように、その上下に開口された止着孔３２にネジ等の止着部材７２により固定される（図２参照）。この第１入賞口７１は、図７（ａ）に示すように、上部及び後部を開放した中空直方体状の部材であり、その上端部の両側にはフランジ状の止着部７３，７４が形成され、それぞれ止着孔７５が開設されており、その下端部は下方へ延出され、該延出部７７には二箇所の止着孔７８が開設されている。この第１入賞口７１は、図２に示す初期状態において、第１スライド部材８１の右端部分及びその前方に重なり合った第２スライド部材１０１の左端部分を覆うように配置されるので、第１入賞口７１の両側壁にはスリット７９が開設されており、該スリット７９は、第１スライド部材８１及び第２スライド部材１０１が前後方向に重合した肉厚分の奥行きを有している。
【００４０】
次に、図２及び図７を用いて、本実施形態の入賞装置１０の取り付け状況について説明する。図２は、入賞装置１０の初期状態（常態）であり、まず、取付ベース３１の表面側において、その左側部分に重ね合わせるように第１スライド部材８１を配置する。具体的には、取付ベース３１の第１上側ガイド部３５の下面基部に形成した溝部３８内に、第１スライド部材８１の上端部に形成したカギ状の係合部９０を係合させるとともに、取付ベース３１の第１下側ガイド部４１上に、第１スライド部材８１の下端部に設けた噛合部９１が位置するように配置し、この状態で、第１下側ガイド部４１の上面に開口したギヤ露出口４７から露出した第１ピニオンギヤ４５の上部に前記第１スライド部材８１の下端部の噛合部９１を噛合させる。したがって、モータにより第１ピニオンギヤ４５を回転すると、第１スライド部材８１が左右方向に移動（スライド）可能となり、モータの回転を制御することにより第１スライド部材８１を所望する位置に停止させることができる。
【００４１】
次に、取付ベース３１の表面側において、その右側部分に重ね合わせるように第２スライド部材１０１を配置するが、既に取り付けた第１スライド部材８１の右端部分の前方に第２スライド部材１０１の左端部分が重なるように配置する。具体的には、取付ベース３１の第２上側ガイド部３６の下面基部に形成した溝部３９内に、第２スライド部材１０１の上端部に形成したカギ状の係合部１１０を係合させるとともに、取付ベース３１の第２下側ガイド部４２上に、第２スライド部材１０１の下端部に設けた噛合部１１１が位置するように配置し、この状態で、第２下側ガイド部４２の上面に開口したギヤ露出口５２から露出した第２ピニオンギヤ５０の上部を前記第２スライド部材１０１の下端部に設けた噛合部１１１に噛合させる。したがって、モータにより第２ピニオンギヤ５０を回転すると、第２スライド部材１０１が左右方向に移動（スライド）可能となり、モータの回転を制御することにより第２スライド部材１０１を所望する位置に停止させることができる。
【００４２】
この状態では、取付ベース３１の表面側の左側部分に重ね合わせるように第１スライド部材８１が配置され、取付ベース３１の右側部分に重ね合わせるように第２スライド部材１０１が配置されており、且つ第１スライド部材８１の右端部分の前方に第２スライド部材１０１の左端部分が重なっており、取付ベース３１の真中の貫通口６２に、第１スライド部材８１の右側に離隔した球導入部８７と、 第２スライド部材１０１の左側に離隔した球導入部１０７とが連通する。そして、図２及び図７（ｂ）に示すように、前方から球導入部１０７，８７及び貫通口６２を覆うように第１入賞口７１を取り付ける。その際、前記貫通口６２の上下に開口した止着孔３２に、第１入賞口７１の止着部７３，７４の止着孔７５と、第１入賞口７１の延出部７７の止着孔７８とを一致させて、ネジ等の止着部材７２を止着して、第１入賞口７１を取付ベース３１上に固定する。
【００４３】
この様に、第１入賞口７１は、第１スライド部材８１の右端部分及びその前方に重なり合った第２スライド部材１０１の左端部分を覆うように配置されるので、図７（ｂ）に示すように、第１入賞口７１の両側壁に開設されたスリット７９内には、第１スライド部材８１及び第２スライド部材１０１が遊嵌した状態で貫通される。
【００４４】
そして、取付ベース３１、第１スライド部材８１、第２スライド部材１０１及び第１入賞口７１の取り付け作業が完了すると、この入賞装置１０がユニット化された状態で、取付ベース３１の四隅に開口した取付孔３３にネジ等の止着部材を挿通して遊技盤２の遊技領域内下部に取り付けられる。
【００４５】
次に、本実施形態の入賞装置１０の作動について説明する。
図８は入賞装置の作動図であり、（ａ）は初期状態、（ｂ）は大当り状態となって大入賞口として機能している状態であり、図９は入賞装置の作動図であり、（ａ）は第１球通過検出ゲートを遊技球が通過した場合の図、（ｂ）は第２球通過検出ゲートを遊技球が通過した場合の図である。
【００４６】
図８（ａ）に示すように、初期状態、即ち、前記第２入賞口８２及び第３入賞口１０５が常態の場合においては、取付ベース３１の左側に離隔した貫通口６４が第２入賞口８２と連通しており、取付ベース３１の右側に離隔した貫通口６５が第３入賞口１０２と連通している。このとき、第１入賞口７１内においては、三連の貫通口の真中の貫通口６２に、第１スライド部材８１の右側に離隔した球導入口８７と、第２スライド部材１０１の左側に離隔した球導入口１０７とが連通している。
【００４７】
即ち、図８（ａ）に示す初期状態（常態）においては、互いに離隔した第１入賞口７１、第２入賞口８２及び第３入賞口１０２が別個独立に一般入賞口を構成している。そして、前記取付ベース部材３１に開設した複数の貫通口６１〜６５のうち、第２入賞口８２または第３入賞口１０２と連通しない三連の左側の貫通口６１は、第１スライド部材８１の右側の離隔壁部分８９によって覆い隠されて閉塞され、第２入賞口８２または第３入賞口１０２と連通しない三連の右側の貫通口６３は、第２スライド部材１０１の左側の離隔壁部分１０８によって覆い隠されて閉塞される。また、第１スライド部材８１の二連の球導入部８５，８６は、取付ベース部材３１に開設した複数の貫通口６１〜６５のいずれとも連通せずに、後方の取付ベース部材３１の左側の離隔壁部分６８によって閉塞される。さらに、第２スライド部材１０１の二連の球導入部１０５，１０６は、取付ベース部材３１に開設した複数の貫通口６１〜６５のいずれとも連通せずに、後方の取付ベース部材３１の右側の離隔壁部分６９によって閉塞される。
【００４８】
この入賞装置１０は、通常は第１入賞口７１、第２入賞口８２及び第３入賞口１０２が別個独立に一般入賞口として機能するが、例えば、前記特別図柄始動口８への入賞により前記変動表示装置６において変動表示ゲームが開始されて、停止識別情報の組合せ態様が予め定めた特別表示態様となった場合には、大当り状態となって大入賞口として機能することができる。
【００４９】
大当り状態においては、図８（ｂ）に示すように、第１ピニオンギヤ４５を正転させて第１スライド部材８１を右側に移動するとともに、第２ピニオンギヤ５０を逆転させて第２スライド部材１０１を左側に移動し、前記第１入賞口７１に前記第２入賞口８２及び第３入賞口１０２が近接した状態とする。このとき、第１入賞口７１内においては、三連の真中の貫通口６２に、第１スライド部材８１の球導入部８５と、第２スライド部材１０１の球導入部１０５とが連通する。また、第２入賞口８２では、三連の左側の貫通口６１に、第２スライド部材１０１の球導入部１０６が連通する。さらに、第３入賞口１０２では、三連の右側の貫通口６３に、第１スライド部材８１の球導入部８６が連通する。
【００５０】
即ち、図８（ｂ）に示す大当り状態においては、近接した第１入賞口７１、第２入賞口８２及び第３入賞口１０２が連関して入賞確率の高い横幅の拡大した大入賞口を構成している。そして、前記取付ベース部材３１に開設した複数の貫通口６１〜６５のうち、第２入賞口８２または第３入賞口１０２と連通しない左側の貫通口６４は、第１スライド部材８１の左側部分によって閉塞されており、第２入賞口８２または第３入賞口１０２と連通しない右側の貫通口６５は、第２スライド部材１０１の右側部分によって閉塞される。また、第１スライド部材８１の右側の球導入部８７は、取付ベース部材３１に開設した複数の貫通口６１〜６５のいずれとも連通しておらず、第２スライド部材１０１の右側部分によって閉塞される。さらに、第２スライド部材１０１の球導入部１０７は、取付ベース部材３１に開設した複数の貫通口６１〜６５のいずれとも連通しておらず、後方の第１スライド部材の左側部分によって閉塞されている。
【００５１】
この様に本実施形態の遊技機１によれば、第１入賞口７１、第２入賞口８２及び第３入賞口１０２は、これらを区画する側壁が近接した状態となった場合に、特別遊技状態において所定の利益を付与するための大入賞口として機能するので、複数の入賞口を関連させて大入賞口とすることができ、遊技の興趣を高めることができる。
【００５２】
また、図９（ａ）は、図１における球通過検出手段である第１球通過検出ゲート１１を遊技球が通過した場合の作動状態であり、図示するように、第１球通過検出ゲート１１に対応する第１スライド部材８１のみが右側へスライド移動して、第１入賞口７１と第２入賞口８２とが近接した状態となっている。第１スライド部材８１のスライド移動は、第１球通過検出ゲート１１により遊技球の通過が検出されることを条件に、第１ピニオンギヤ４５を正転して第１スライド部材８１を移動する。このとき、第１入賞口７１内においては、三連の真中の貫通口６２に、第１スライド部材８１の球導入部８５と、第２スライド部材１０１の球導入部１０７とが連通している。また、第２入賞口８２は、三連の左側の貫通口６１に連通する。さらに、第３入賞口１０２は、右側に離隔した貫通口６５に連通する。
【００５３】
即ち、第１球通過検出ゲート１１を遊技球が通過した場合の作動状態においては、近接した第１入賞口７１及び第２入賞口８２が連関して初期状態（常態）よりも入賞確率の高いいわゆる中入賞口を構成している。そして、前記取付ベース部材３１に開設した複数の貫通口６１〜６５のうち、第２入賞口８２または第３入賞口１０２と連通しない貫通口６４は、第１スライド部材８１の左側部分によって閉塞され、第２入賞口８２または第３入賞口１０２と連通しない貫通口６３、及びこれに連通する第１スライド部材８１の球導入部８６は、第２スライド部材１０１の左側の離隔壁部分１０８によって閉塞される。また、第１スライド部材８１の球導入部８７は、取付ベース部材３１に開設した複数の貫通口６１〜６５のいずれとも連通しておらず、第２スライド部材１０１の球導入部１０５と連通しているが、後方の取付ベース部材３１の右側の離隔壁部分によって閉塞される。さらに、第２スライド部材１０１の球導入部１０６は、取付ベース部材に開設した複数の貫通口６１〜６５のいずれとも連通しておらず、後方の第１スライド部材８２の右側の離隔壁部分８９によって閉塞される。
【００５４】
また、図９（ｂ）は、図１における球通過検出手段である第２球通過検出ゲート１２を遊技球が通過した場合の作動状態であり、図示するように、第２球通過検出ゲート１２に対応する第２スライド部材１０１のみが左側へスライド移動して、第１入賞口７１と第３入賞口１０２とが近接した状態となる。第２スライド部材１０１のスライド移動は、第２球通過検出ゲート１２により遊技球の通過が検出されることを条件に、第２ピニオンギヤ５０を逆転して第２スライド部材１０１を移動する。このとき、第１入賞口７１内においては、三連の真中の貫通口６２に、第１スライド部材８１の右側の球導入部８７と、第２スライド部材１０１の右側の球導入部１０５とが連通する。また、第２入賞口８２は、左側の貫通口６４に連通する。さらに、第３入賞口１０２は、右側の貫通口６３に連通する。
【００５５】
即ち、第２球通過検出ゲート１２を遊技球が通過した場合の作動状態においては、近接した第１入賞口７１及び第３入賞口１０２が連関して初期状態（常態）よりも入賞確率の高い中入賞口を構成している。そして、前記取付ベース部材３１に開設した複数の貫通口６１〜６５のうち、第２入賞口８２または第３入賞口１０２と連通しない三連の左側の貫通口６１は、第１スライド部材８２の右側の離隔壁部分８９によって閉塞され、第２入賞口８２または第３入賞口１０２と連通しない右側の貫通口６５は、第２スライド部材１０１の右側部分によって閉塞される。また、第１スライド部材８１の左側の球導入部８５は、取付ベース部材３１に開設した複数の貫通口６１〜６５のいずれとも連通しておらず、第２スライド部材１０１の左側の球導入部１０７と連通しているが、後方の取付ベース部材３１の左側の離隔壁部分６８によって閉塞され、第１スライド部材８１の二連の右側の球導入部８６は、取付ベース部材３１に開設した複数の貫通口６１〜６５のいずれとも連通しておらず、前方の第２スライド部材１０１の左側の離隔壁部分１０８によって閉塞される。さらに、第２スライド部材１０１の二連の左側の球導入部１０６は、取付ベース部材３１の三連の左側の貫通口６１と連通し得る位置に存在しているが、第１スライド部材８１の右側の離隔壁部分８９によって閉塞される。
【００５６】
この様に本実施形態の遊技機１によれば、遊技領域４に設けた第１球通過検出ゲート１１または第２球通過検出ゲート１２にて遊技球の通過が検出されることを条件に、その検出手段に対応する第１スライド部材８１または第２スライド部材１０１が作動するようにしたので、第１スライド部材８１と第２スライド部材１０１とが異なる作動をする場合があり、遊技状態に変化を持たせて、遊技の興趣を高めることができる。
【００５７】
また、入賞口８２，１０２が移動した場合であっても、第２入賞口８２または第３入賞口１０２と連通しない貫通口を確実に閉塞することができる。さらに、第１スライド部材８１に設けた複数の球導入部８５，８６，８７、及び第２スライド部材１０１に設けた複数の球導入部１０５，１０６，１０７についても、取付ベース部材３１に開設した複数の貫通口６１〜６５と連通しない状態では閉塞されるので、遊技球が球導入部内で停留したり、不正行為を誘発したりするのを防止することができる。
【００５８】
図１０は、初期状態における第１入賞口の中央部の縦断面図であり、前述したように、第１入賞口７１内においては、三連の真中の貫通口６２に、第１スライド部材８１の球導入部８７と、第２スライド部材１０１の球導入部１０７とが連通している。そして、遊技盤２内における取付ベース３１の後部には、貫通口６２に連通する球流下樋１２１が接続されており、球流下樋１２１の途中には、遊技球１２０の入賞（通過）を検出する第２カウントセンサ１３２が設けられている。このような球流下樋１２１は前記取付ベース３１に開設した複数の貫通口６１〜６５にそれぞれ接続されており、入賞した遊技球を検出するセンサは、各貫通口に対応するように個別に設けられており、それぞれの検出信号は遊技制御装置（図１１参照）に入力されるように成っている。この様に、本実施形態の遊技機１は、複数の入賞口８２，１０２が移動するのを可能にするとともに、入賞口７１，８２，１０２に入賞した遊技球１２０を効率よく遊技領域外部へと誘導することができる。
【００５９】
図１１は、第１の実施形態におけるパチンコ機１に備えられる制御装置の構成であり、主として、遊技制御装置１４１及び表示制御装置１８１を中心とする制御系統部分をブロック図として示したものである。
遊技制御装置１４１は、遊技を統括的に制御する主制御装置として機能し、図示するように、遊技制御を司るＣＰＵ１４３、遊技制御のためのプログラム等を記憶しているＲＯＭ１４４、及び遊技制御時にワークエリアとして利用されるＲＡＭ１４５をそれぞれ内蔵した遊技用ワンチップマイコン１４２と、入力インターフェース１４７と、出力インターフェース１４８と、外部通信端子１４９等から構成される。
【００６０】
遊技用ワンチップマイコン１４２は、入力インターフェース１４７を介して各種検出装置（前記特別図柄始動口８に備えられる特別図柄始動センサ１５１、前記第１普通図柄始動ゲート１３に備えられる第１普通図柄始動センサ１５２、前記第２普通図柄始動ゲート１４に備えられる第２普通図柄始動センサ１５３、前記三連の左側の貫通口６１に備えられる第１カウントセンサ１３１、前記三連の真中の貫通口６２に備えられる第２カウントセンサ１３２、前記三連の右側の貫通口６３に備えられる第３カウントセンサ１３３、前記左側に離隔した貫通口６４に備えられる第１入賞口センサ１３４、前記右側に離隔した貫通口６５に備えられる第２入賞口センサ１３５、前記第１通過球検出ゲート１１に備えられる第１通過球検出センサ１６１、前記第２通過球検出ゲート１２に備えられる第２通過球検出センサ１６２、前記第１初期位置検出センサ５５、前記第２初期位置検出センサ５６）からの検出信号を受けて、大当たり抽選等、種々の処理を行う。そして、出力インターフェース１４８を介して、表示制御装置１８１及び排出制御装置１７１の他、始動記憶表示器２２、普通電動役物ソレノイド１７２、前記第１ピニオンギヤ４５を駆動する第１スライド部材可動モータ１７５、及び前記第２ピニオンギヤ５０を駆動する第２スライド部材可動モータ１７６等に指令信号を送信するとともに、盤用外部情報１７７に情報信号を出力する。
【００６１】
そして、遊技制御装置１４１は、表示制御装置１８１へ表示制御指令信号として変動表示コマンド、識別情報コマンド、確定コマンド、デモ表示コマンド、ファンファーレコマンド、大当たりコマンド、エラーコマンド等を送信する。さらに、通常の遊技状態、確率変動状態、変動時間短縮状態などの遊技状態の違いによって表示態様を変化させるための指令信号も送信する。
【００６２】
次に、第１の実施形態の遊技機１の遊技状況について説明する。
図１２は、第１の実施形態におけるスライド部材が作動する際のタイミングチャートであり、（ａ）は通常遊技状態の作動を示しており、（ｂ）は大当り状態での作動を示している。
まず、図１２（ａ）を用いて、通常遊技状態の作動を説明する。通常状態においては、第１入賞口７１、第２入賞口８２及び第３入賞口１０２が別個独立に一般入賞口を構成しているが、遊技球が第１球通過検出ゲート１１を通過した場合には、第１球通過検出センサ１６１が遊技球の通過を検出し、入力インターフェース１４７を介して遊技制御装置１４１に検出信号を入力する。遊技制御装置１４１は、出力インターフェース１４８を介して第１スライド部材可動モータ１７５を正転させ、初期位置にあった第１スライド部材８１を中央側へとスライド移動させる（図９（ａ）の状態）。この様に、第１通過球検出ゲート１１を遊技球が通過した場合は、第１スライド部材８１が中央側にスライド移動して第２入賞口８２と第１入賞口７１とが連関して遊技球が中入賞口を構成し、遊技球が入賞し易くなる。
【００６３】
そして、所定時間ｔ１（例えば、１秒）経過すると、第１スライド部材可動モータ１７５を逆転させて第１スライド部材８１を初期位置へと帰還させることになる。
【００６４】
次に、遊技球が第２球通過検出ゲート１２を通過した場合には、第２球通過検出センサ１６２が遊技球の通過を検出し、入力インターフェース１４７を介して遊技制御装置１４１に検出信号を入力する。遊技制御装置１４１は、出力インターフェース１４８を介して第２スライド部材可動モータ１７６を逆転させ、初期位置にあった第２スライド部材１０１を中央側へとスライド移動させる（図９（ｂ）の状態）。この様に、第２通過球検出ゲート１２を遊技球が通過した場合は、第２スライド部材１０１が中央側にスライド移動して第３入賞口１０２と第１入賞口７１とが連関して遊技球が中入賞口を構成し、遊技球が入賞し易くなる。
【００６５】
そして、所定時間ｔ２（例えば、１秒）経過すると、第２スライド部材可動モータ１７６を正転させて第２スライド部材８１を初期位置へと帰還させることになる。
【００６６】
次に、図１２（ｂ）を用いて、大当り状態での作動を説明する。前述したように、通常状態においては、第１入賞口７１、第２入賞口８２及び第３入賞口１０２が別個独立した状態で一般入賞口を構成しているが、例えば、前記特別図柄始動口８への入賞を特別図柄始動センサ１５１が検出し、入力インターフェース１４７を介して遊技制御装置１４１に検出信号を入力する。遊技制御装置１４１は、前記変動表示装置６において変動表示ゲームを開始し、停止識別情報の組合せ態様が予め定めた特別表示態様となった場合には、大当たり状態と認識し、出力インターフェース１４８を介して、ラウンド開始で第１スライド部材可動モータ１７５を正転させるとともに、第２スライド部材可動モータ１７６を逆転させて大入賞口を形成する。この様に大当り状態では、第１入賞口７１、第２入賞口８２及び第３入賞口１０２を近接させて入賞口幅を拡大して大入賞口として機能する（図８（ｂ）の状態）。
【００６７】
そして、１ラウンドが終了してウエイト状態になると、第１スライド部材可動モータ１７５を逆転させるとともに、第２スライド部材可動モータ１７６を正転させて、各スライド部材８１，１０１を初期位置に帰還させる。
【００６８】
この大当り状態では、このような動作を１ラウンドとして、１６ラウンドまで繰り返し動作を実行することになる。
即ち、第１の実施形態の遊技機１によれば、通常状態においては、第１入賞口７１、第２入賞口８２及び第３入賞口１０２が別個独立に一般入賞口を構成しているが、第１入賞口７１に第２入賞口８２または／及び第３入賞口１０２が近接した場合には、実質的に入賞口幅が拡大し、中入賞口や大入賞口として機能するので、遊技の興趣を高めることができる。
【００６９】
なお、第１の実施形態では、第１入賞口７１、第２入賞口８２及び第３入賞口１０２が別個独立に一般入賞口を構成しているが、これらが近接しないで孤立状態の場合には、各入賞口７１，８２，１０２を特別図柄始動口として使用するように構成してもよい。
【００７０】
次に、第２の実施形態の遊技機について説明する。
図１３は、第２の実施形態の遊技機における遊技盤の正面図である。なお、第１の実施形態と同一の構成要素については同一の符号を付して説明する。
第２の実施形態の遊技機では、前記入賞装置１０を特別図柄始動口として使用するように構成したものである。第２の実施形態では、センターケース５の下方に前記入賞装置１０を設け、該入賞装置１０の下方中央にアタッカー等の大入賞口２０２を配設し、その左右に第１普通図柄始動ゲート１３及び第２普通図柄始動ゲート１４を配設して、さらに大入賞口２０２の下方に普通図柄表示器２０３を配設した点が、第１の実施形態と異なる。
【００７１】
図１４は、第２の実施形態における制御装置の構成を説明するブロック図である。なお、第１の実施形態と同一の構成要素については同一の符号を付して説明する。
図示するように、第２の実施形態では、取付ベース部材３１の長手方向に沿って開設した複数の貫通口６１〜６５に対応させて特別図柄始動センサを５つ設けており、入賞口センサは設けていない点が、第１の実施形態と異なっている。即ち、三連の左側の貫通口６１への入賞は第１特別図柄始動センサ２１１が、三連の真中の貫通口６２への入賞は第２特別図柄始動センサ２１２が、三連の右側の貫通口６３への入賞は第３特別図柄始動センサ２１３が、左側に離隔した貫通口６４への入賞は第４特別図柄始動センサ２１４が、及び右側に離隔した貫通口６５への入賞は第５特別図柄始動センサ２１５が検出し、入力インターフェース１４７を介して検出信号が遊技制御装置１４１へ入力される。
【００７２】
さらに、カウントセンサ２２１は単一として、入力インターフェース１４７を介してその検出信号が遊技制御装置１４１へ入力される点、遊技制御装置１４１から出力インターフェース１４８を介して普通図柄表示器２０３及び大入賞口ソレノイド２３１に制御信号が出力される点が第１の実施形態と異なっている。
【００７３】
図１５は、第２の実施形態におけるスライド部材が作動する際のタイミングチャートであり、（ａ）は通常遊技状態の作動を示しており、（ｂ）は確率変動状態での作動を示している。
まず、図１５（ａ）を用いて、通常遊技状態の作動を説明する。通常状態においては、第１入賞口７１、第２入賞口８２及び第３入賞口１０２が別個独立した状態で特別図柄始動口を構成しているが、遊技球が第１球通過検出ゲート１１を通過した場合には、第１球通過検出センサ１６１が遊技球の通過を検出し、入力インターフェース１４７を介して遊技制御装置１４１に検出信号を入力する。遊技制御装置１４１は、出力インターフェース１４８を介して第１スライド部材可動モータ１７５を正転させ、初期位置にあった第１スライド部材８１を中央側へとスライド移動させる（図９（ａ）の状態）。この様に、第１通過球検出ゲート１１を遊技球が通過した場合は、第１スライド部材８１が中央側にスライド移動して第２入賞口８２と第１入賞口７１とが連関して始動口幅が拡大し、遊技球が入賞し易くなる。
【００７４】
そして、所定時間ｔ１（例えば、１秒）経過すると、第１スライド部材可動モータ１７５を逆転させて第１スライド部材８１を初期位置へと帰還させることになる。
【００７５】
次に、遊技球が第２球通過検出ゲート１２を通過した場合には、第２球通過検出センサ１６２が遊技球の通過を検出し、入力インターフェース１４７を介して遊技制御装置１４１に検出信号を入力する。遊技制御装置１４１は、出力インターフェース１４８を介して第２スライド部材可動モータ１７６を逆転させ、初期位置にあった第２スライド部材１０１を中央側へとスライド移動させる（図９（ｂ）の状態）。この様に、第２通過球検出ゲート１２を遊技球が通過した場合は、第２スライド部材１０１が中央側にスライド移動して第３入賞口１０２と第１入賞口７１とが連関して始動口幅が拡大し、遊技球が入賞し易くなる。
【００７６】
そして、所定時間ｔ２（例えば、１秒）経過すると、第２スライド部材可動モータ１７６を正転させて第２スライド部材８１を初期位置へと帰還させることになる。
【００７７】
次に、図１５（ｂ）は、確率変動状態の場合に、普通図柄の当たりを条件（トリガ）にして第１スライド部材８１または第２スライド部材１０１が移動するタイミングを表している。前述したように、通常状態においては、第１入賞口７１、第２入賞口８２及び第３入賞口１０２が別個独立した状態で特別図柄始動口を構成しているが、例えば、確率変動状態において、普通図柄表示器２０３で行った遊技で当った場合には、遊技制御装置１４１が出力インターフェース１４８を介して第１スライド部材可動モータ１７５を正転させるとともに、第２スライド部材可動モータ１７６を逆転させて、第１スライド部材８１及び第２スライド部材１０１を中央側へとスライド移動させて、第１入賞口側７１に第２入賞口８２及び第３入賞口１０２を近接させる。
【００７８】
そして、所定時間ｔ１が経過したら第１スライド部材可動モータ１７５を逆転させるとともに、第２スライド部材可動モータ１７６を正転させて、第１スライド部材８１及び第２スライド部材１０１を初期位置に帰還させる。
【００７９】
再度、普通図柄表示器２０３での遊技で当たり状態となった場合にも、以上の操作が実行されることになる。
第１入賞口７１、第２入賞口８２及び第３入賞口１０２を特別図柄始動口として構成したので、各入賞口７１，８２，１０２に入賞することにより、遊技制御装置１４１は、前記変動表示装置６において変動表示ゲームを開始し、停止識別情報の組合せ態様が予め定めた特別表示態様となった場合には、大当たりの権利が発生し、出力インターフェース１４８を介して、ラウンド開始で大入賞口ソレノイド２３１を作動させることにより、アタッカ２０２を開放する。その際、前記カウントセンサ２２１は、アタッカ２０２への入球数をカウントすることになる。
【００８０】
第２の実施形態の遊技機によれば、第１スライド部材８１及び第２スライド部材１０１スライド部材がスライド移動するので特別図柄始動口への入賞を難しくする一方、第１入賞口７１に第２入賞口８２または／及び第３入賞口１０２が近接した場合には特別図柄始動口へ入賞し易くすることができるので、変動表示ゲームの頻度が微妙にことなり、これにより遊技の興趣を高めることができる。即ち、第１入賞口７１、第２入賞口８２及び第３入賞口１０２は、変動表示ゲームを開始するための始動条件となる始動入賞口としても機能するので、遊技状態が変化に富み、遊技の興趣を高めることができるものである。
【００８１】
なお、第２の実施形態では、確率変動状態において第１スライド部材８１及び第２スライド部材１０１スライド部材が可動するように構成したが、時短状態において第１スライド部材８１及び第２スライド部材１０１が可動するように構成してもよい。また、第２の実施形態であっても、大当たり状態において第１球通過検出ゲート１１または第２球通過検出ゲート１２を遊技球が通過した場合は、第１スライド部材８１または第２スライド部材１０１スライド部材が可動するように構成してもよい。
【００８２】
また、遊技領域４に入賞装置１０を２つ設けて、一方を大入賞口、他方を特図始動口として機能させてもよい。
【００８３】
さらに、スライド部材を移動する駆動機構は、モータによりピニオンギアを回転し、このピニオンギアにスライド部材に設けたラックギア状の噛合部を噛合する前記実施形態の構成に限定されるものではなく、スライド部材を移動することができればどのような構成でもよい。例えば、駆動源としてソレノイドを使用し、このソレノイドのプランジャにリンク機構を接続し、このリンク機構を介してスライド部材を左右方向に移動させる構成でもよいし、或いは左右の駆動プーリーと遊転プーリーとにワイヤーやタイミングベルトを掛け渡し、スライド部材を上記ワーヤーやタイミングベルトに接続し、駆動プーリーをモータで回転する構成でもよい。
【００８４】
上記した実施形態は、代表的な遊技機であるパチンコ機１を例に挙げて説明したが、本発明はこれに限らず、遊技球を流下させて遊技を行う遊技機であればどのような遊技機でもよい。例えば、内部に封入した遊技球を循環させる封入球式パチンコ機、アレンジボール式遊技機、雀球式遊技機等の遊技機であってもよい。
また、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００８５】
【図１】第１の実施形態における遊技盤の正面図である。
【図２】入賞装置の正面側から見た斜視図である。
【図３】取付ベース部材の正面側から見た斜視図である。
【図４】取付ベース部材の裏面側から見た斜視図である。
【図５】（ａ）は第１スライド部材の前面側から見た斜視図、（ｂ）は第２スライド部材の前面側から見た斜視図である。
【図６】（ａ）は第１スライド部材の裏面図、（ｂ）は第２スライド部材の裏面図である。
【図７】（ａ）は第１入賞口の裏面側から見た斜視図、（ｂ）は第１入賞口、第１及び２スライド部材、取付ベース部材が組み付けられた状態の断面図である。
【図８】入賞装置の作動図であり、（ａ）は初期状態、（ｂ）は大当り状態となって大入賞口として機能している状態である。
【図９】入賞装置の作動図であり、（ａ）は第１球通過検出ゲートを遊技球が通過した場合の平面図、（ｂ）は第２球通過検出ゲートを遊技球が通過した場合の平面図である。
【図１０】初期状態における第１入賞口の中央部の縦断面図である。
【図１１】第１の実施形態におけるパチンコ機に備えられる制御装置の構成を説明するブロック図である。
【図１２】第１の実施形態におけるスライド部材が移動する際のタイミングチャートである。
【図１３】第２の実施形態における遊技盤の正面図である。
【図１４】第２の実施形態における制御装置の構成を説明するブロック図である。
【図１５】第２の実施形態におけるスライド部材が移動する際のタイミングチャートである。
【符号の説明】
【００８６】
１  パチンコ機
２  遊技盤
４  遊技領域
８  特別図柄始動口
１０  入賞装置
１１  第１通過球検出ゲート
１２  第２通過球検出ゲート
１３  第１普通図柄始動ゲート
１４  第１普通図柄始動ゲート
３１  取付ベース部材
３２  止着孔
３３  取付孔
３５  第１上側ガイド部
３６  第２上側ガイド部
３８，３９  溝部
４１  第１下側ガイド部
４２  第２下側ガイド部
４３，４４  凹室
４５  第１ピニオンギヤ
４６  軸受孔
４７  ギヤ露出口
５０  第２ピニオンギヤ
５１  軸受孔
５２  ギヤ露出口
５５  第１初期位置検出センサ
５６  第２初期位置検出センサ
６１〜６５  貫通口
６８  左側の離隔壁部分
６９  右側の離隔壁部分
７１  第１入賞口
７２  止着部材
７３，７４  止着部
７５  止着孔
７７  延出部
７８  止着孔
７９  スリット
８１  第１スライド部材
８２  第２入賞口
８５，８６，８７  球導入部
８９  右側の離隔壁部分
９０  係合部
９１  噛合部
９５  検出片
９７  スリット
１０１  第２スライド部材
１０２  第３入賞口
１０５，１０６，１０７  球導入部
１０８  左側の離隔壁部分
１１０  係合部
１１１  噛合部
１１５  検出片
１２０  遊技球
１２１  球流下樋
１７５  第１スライド部材可動モータ
１７６  第２スライド部材可動モータ
２０２  大入賞口
２０３  普通図柄表示器
【図１】
2005270516.tif 000003
【図２】
2005270516.tif 000004
【図３】
2005270516.tif 000005
【図４】
2005270516.tif 000006
【図５】
2005270516.tif 000007
【図６】
2005270516.tif 000008
【図７】
2005270516.tif 000009
【図８】
2005270516.tif 000010
【図９】
2005270516.tif 000011
【図１０】
2005270516.tif 000012
【図１１】
2005270516.tif 000013
【図１２】
2005270516.tif 000014
【図１３】
2005270516.tif 000015
【図１４】
2005270516.tif 000016
【図１５】
2005270516.tif 000017